(57)【特許請求の範囲】
【請求項１】
絶縁ハウジングの内部に挿入された信号伝送媒体の端末部分に係合して前記信号伝送媒体を略不動状態に保持する係止ロック部を、弾性変位可能に設けられたロックアーム部を介して往復移動可能に支持するように構成されたロック機構と、
前記係止ロック部をロック解除操作部の押圧操作により所定の解除方向に移動させて前記信号伝送媒体を抜去可能とするロック解除操作部を備えたロック解除機構と、
を備えた電気コネクタにおいて、
前記ロック機構のロックアーム部が、絶縁ハウジングから前記信号伝送媒体の挿入・抜去方向に片持ち状をなして一体的に延出する第１アームと、その第１アームから前記ロック解除操作部の押圧操作方向に片持ち状をなして一体的に延出し、その延出端側部分に前記係止ロック部が設けられた第２アームと、を有し、
前記ロックアーム部の第１アームが、前記ロック解除操作部を兼用するように構成されたものであって、
前記係止ロック部には、前記信号伝送媒体の挿入・抜去方向に対して傾斜するように延在する媒体ガイド面が一体的に形成されているとともに、
前記係止ロック部又は絶縁ハウジングの少なくとも一方には、前記ロック解除操作部の操作方向に対して傾斜するように延在する操作ガイド面が一体的に形成されていることを特徴とする電気コネクタ。
【請求項２】
前記第１アームは、前記係止ロック部の解除方向における厚さ寸法ｔ１に対して前記ロック解除操作部の操作方向における厚さ寸法ｔ２が小さくなるように形成されているとともに、
前記第２アームは、前記信号伝送媒体の挿入・抜去方向における厚さ寸法ｔ３に対して前記係止ロック部の解除移動方向における厚さ寸法ｔ４が小さくなるように形成されていることを特徴とする請求項１記載の電気コネクタ。
【請求項３】
前記第１アームと前記第２アームとは、平面略Ｌ字形状をなすように形成されていることを特徴とする請求項１記載の電気コネクタ。
【請求項４】
請求項１記載の電気コネクタが接続される配線回路基板に対して、請求項１記載の電気コネクタに挿入される前記信号伝送媒体が、重なり合うように配置されることを特徴とする電気回路装置。
【発明の詳細な説明】
【技術分野】
【０００１】
本発明は、絶縁ハウジングの内部に挿入された信号伝送媒体を略不動状態に保持する係止ロック部の係合状態を解除させるロック解除操作部を備えた電気コネクタ及び電気回路装置に関する。
【背景技術】
【０００２】
一般に、種々の電気機器等において、フレキシブル・プリンテッド・サーキット（ＦＰＣ）や、フレキシブル・フラット・ケーブル（ＦＦＣ）等の各種信号伝送媒体を電気的に接続するための手段として種々の電気コネクタが広く用いられている。例えば、下記の特許文献１のように印刷配線回路基板上に実装されて使用される電気コネクタでは、ＦＰＣやＦＦＣ等からなる信号伝送媒体が、絶縁ハウジング（インシュレータ）の前端側開口部から内部に挿入され、その後にアクチュエータ（接続操作手段）が、作業者の操作力でコネクタ前方側又は後方側の接続作用位置に向かって押し倒されるように回動される。これによって、信号伝送媒体の端末部分に設けられた係合部にロック部材の一部が落ち込んで係合状態になされ、信号伝送媒体の端末部分がロック部材により略不動状態に保持される構成になされている。
【０００３】
このように、アクチュエータを備えた電気コネクタは、接続解除位置と接続作用位置との間でアクチュエータを回動操作することによってロック部材の係合・離脱を操作する構成になされているが、信号伝送媒体（ＦＰＣ，ＦＦＣ等）の挿入作業とは別個にアクチュエータを操作する必要があるために作業効率が問題となる場合がある。そのため、例えば下記の特許文献２及び３のように、絶縁ハウジングの内部に挿入された信号伝送媒体に対してロック部材の一部が乗り上げるようにして弾性変位し、その後に信号伝送媒体の係合部にロック部材の一部が落ち込んで係合が行われるように構成された、いわゆるワンアクションオートロック機構を備えた電気コネクタが従来から開発されている。このようなワンアクションオートロック機構を備えた電気コネクタを用いれば、電気コネクタの内部の所定位置まで信号伝送媒体を挿入するだけで、信号伝送媒体が略不動状態に保持されることとなり、作業効率の向上が図られる。
【０００４】
このときの係止ロック部は、弾性変位するように設けられたロックアーム部を介して往復移動可能に支持されており、信号伝送媒体を抜去可能とする場合には、ロック解除操作部の操作によってロックアーム部を弾性変位させ、そのロックアーム部の弾性変位に伴って係止ロック部を信号伝送媒体から離間させるように移動させて係合状態を解除させるようにしている。
【０００５】
しかしながら、このような従来の信号伝送媒体に対するロック機構及びロック解除機構においては、絶縁ハウジング、係止ロック部、ロックアーム部、及びロック操作部等からなる各部材が、別個の構成部品から形成されていることから、部品点数増大の原因になっている。一部の部材同士を一部共用化することは行われているものの、機構の全体からしてみると未だ部品点数が多く、生産性の低下を招来することがある。
【先行技術文献】
【特許文献】
【０００６】
【特許文献１】特開２００３−１００３７０号公報
【特許文献２】特開２００９−２３１０６９号公報
【特許文献３】特開２０１１−０４０２４６号公報
【発明の開示】
【発明が解決しようとする課題】
【０００７】
そこで本発明は、簡易な構成で、信号伝送媒体の保持及び解除を良好に行わせることができるようにしたロック機構及びロック解除機構を備えた電気コネクタ及び電気回路装置を提供することを目的とする。
【課題を解決するための手段】
【０００８】
上記目的を達成するため本発明では、絶縁ハウジングの内部に挿入された信号伝送媒体の端末部分に係合して前記信号伝送媒体を略不動状態に保持する係止ロック部を、弾性変位可能に設けられたロックアーム部を介して往復移動可能に支持するように構成されたロック機構と、前記係止ロック部をロック解除操作部の押圧操作により所定の解除方向に移動させて前記信号伝送媒体を抜去可能とするロック解除操作部を備えたロック解除機構とを備えた電気コネクタにおいて、前記ロック機構のロックアーム部が、絶縁ハウジングから前記信号伝送媒体の挿入・抜去方向に片持ち状をなして一体的に延出する第１アームと、その第１アームから前記ロック解除操作部の押圧操作方向に片持ち状をなして一体的に延出し、その延出端側部分に前記係止ロック部が設けられた第２アームと、を有し、前記ロックアーム部の第１アームが、前記ロック解除操作部を兼用するように構成されたものであって、前記係止ロック部には、前記信号伝送媒体の挿入・抜去方向に対して傾斜するように延在する媒体ガイド面が一体的に形成されているとともに、前記係止ロック部又は絶縁ハウジングの少なくとも一方には、前記ロック解除操作部の操作方向に対して傾斜するように延在する操作ガイド面が一体的に形成された構成が採用されている。
【０００９】
このような構成を有する本発明によれば、係止ロック部を有するロック機構、及びロック解除操作部を有するロック解除機構が、絶縁ハウジングから一体に延出するロックアーム部を含むようにして絶縁ハウジングと一体的に形成されているため、電気コネクタ全体の生産性が大幅に高められる。
【００１０】
また、本発明における第１アームは、前記係止ロック部の解除方向における厚さ寸法ｔ１に対して前記ロック解除操作部の操作方向における厚さ寸法ｔ２が小さくなるように形成されているとともに、前記第２アームは、前記信号伝送媒体の挿入・抜去方向における厚さ寸法ｔ３に対して前記係止ロック部の解除移動方向における厚さ寸法ｔ４が小さくなるように形成されていることが望ましい。
【００１１】
このような構成を有する本発明によれば、ロック解除操作部を兼用するロックアーム部の第１アームが、ロック解除操作の方向に小さな剛性を有し且つ係止ロック部の移動方向において大きな剛性を有するとともに、係止ロック部を有するロックアーム部の第２アームが、係止ロック部の移動方向に小さな剛性を有し且つ信号伝送媒体Ｆの挿入・抜去方向に大きな剛性を有していることから、信号伝送媒体の挿入に対応して係止ロック部が良好かつ安定的に移動するとともに、ロック解除操作部の操作力に対応して当該ロック解除操作部が良好かつ安定的に行われる。
【００１２】
また、本発明における前記第１アームと前記第２アームとは、平面略Ｌ字形状をなすように形成されていることが望ましい。
【００１３】
このような構成を有する本発明によれば、ロック部に設けられた２つの傾斜ガイド面によって、信号伝送媒体の挿入・抜去に対応する動作、及びロック解除操作部の操作に対応した動作が、安定的に行われる。
【００１４】
また、本発明における電気回路装置においては、上述した電気コネクタが接続される配線回路基板に対して、上述した電気コネクタに挿入される信号伝送媒体が重なり合うように配置されることが可能である。
【発明の効果】
【００１５】
以上述べたように本発明にかかる電気コネクタ及び電気回路装置は、係止ロック部を有するロック機構とロック解除操作部を有するロック解除機構とを、絶縁ハウジングから一体に延出するロックアーム部として一体に形成し、ロック機構のロックアーム部をロック解除機構のロック解除操作部と兼用させることよって、電気コネクタ全体の生産性を高めるように構成したものであるから、簡易な構成で、信号伝送媒体の保持及び解除を良好に行わせることができ、電気コネクタの信頼性を低廉かつ大幅に向上させることができる。
【図面の簡単な説明】
【００１６】
【図１】本発明の第１の実施形態にかかる電気コネクタを底面側から表した外観斜視説明図である。
【図２】図１に表された電気コネクタの底面説明図である。
【図３】図１及び図２に表された電気コネクタの背面説明図である。
【図４】図１及び図２に表された電気コネクタの正面説明図である。
【図５】図１〜図４に表された電気コネクタの平面説明図である。
【図６】図１〜図５に表された電気コネクタの側面説明図である。
【図７】図３中のＡ−Ａ線に沿った横断面説明図である。
【図８】図３中のＢ−Ｂ線に沿った横断面説明図である。
【図９】図１〜図８に表された電気コネクタの使用状態を底面側から見た外観斜視説明図である。
【図１０】図１〜図８に表された電気コネクタの使用状態を平面側から見た外観斜視説明図である。
【図１１】図１〜図１０に表された電気コネクタに信号伝送媒体が差し込まれる直前の状態を示した外観斜視説明図である。
【図１２】図１１に表された状態から更に信号伝送媒体が差し込まれて電気コネクタに対する信号伝送媒体の差し込みが完了し、信号伝送媒体が係止ロック部により係止された状態を示した外観斜視説明図である。
【図１３】図１０に表された使用状態にある電気コネクタの背面説明図である。
【図１４】図１３中のＣ−Ｃ線に沿った横断面説明図である。
【図１５】図１３中のＤ−Ｄ線に沿った横断面説明図である。
【図１６】図１３中のＥ−Ｅ線に沿った横断面説明図である。
【図１７】信号伝送媒体の差し込みが完了したロック状態からロック解除操作が行われ状態を示した平面説明図である。
【図１８】ロック解除操作が行われた状態を表した図１６相当の横断面説明図である。
【図１９】ロック解除操作が行われた状態を表した図１３相当の背面説明図である。
【図２０】図１９中のＦ部を拡大して表した部分背面説明図である。
【図２１】本発明の第２の実施形態にかかる電気コネクタに信号伝送媒体が差し込まれる直前の状態を示した外観斜視説明図である。
【図２２】図２１に表された電気コネクタの図１５相当の横断面説明図である。
【図２３】図２１に表された電気コネクタにおいてロック解除操作が行われた状態を表した図１８相当の横断面説明図である。
【発明を実施するための形態】
【００１７】
以下、フレキシブル・プリンテッド・サーキット（ＦＰＣ）やフレキシブル・フラット・ケーブル（ＦＦＣ）等からなる信号伝送媒体の電気接続を行うべく配線回路基板上に実装して使用される電気コネクタ及び電気回路装置に本発明を適用した実施の形態について、図面に基づいて詳細に説明する。
【００１８】
［第１の実施形態にかかる電気コネクタの全体構成について］
まず、図１〜図２０に示されている本発明の第１実施形態にかかる電気コネクタ１０は、いわゆるノン・ジフ（NON-ZIF）タイプのワンアクションオートロック機構を備えた電気コネクタからなるものであって、上述した信号伝送媒体（ＦＰＣ又はＦＦＣ等）Ｆの端末部分を、絶縁ハウジング１１の前端縁部（図１５の右端縁部）に設けられた媒体挿入口１１ａを通して絶縁ハウジング１１の内部の所定位置まで挿入した際に、信号伝送媒体Ｆのロックが自動的に行われる構成になされたものである。
【００１９】
［絶縁ハウジングについて］
このとき、前記絶縁ハウジング１１は、細長状に延在する中空枠体状の絶縁部材から形成されているが、その絶縁ハウジング１１における長手の横幅方向を、以下、「コネクタ長手方向」と呼び、また信号伝送媒体（ＦＰＣ又はＦＦＣ等）Ｆの端末部分を挿入又は離脱させる方向を「コネクタ前後方向」と呼ぶこととする。
【００２０】
その絶縁ハウジング１１のコネクタ長手方向における両側部分には、当該電気コネクタ１０が使用される図１０に示される電気機器の製品シャシパネルＳＰに設置するための固定フランジ部１１ｂ，１１ｂが、当該絶縁ハウジング１１の外方側に向かって板状をなして突出するように設けられている。それらの各固定フランジ部１１ｂには、取付フック１１ｃがそれぞれ立設されており、製品筐体のシャシパネルＳＰに設けられたコネクタ取付穴の周端縁部分に取付フック１１ｃの爪部が嵌合されることによって、電気コネクタ１０の全体がシャシパネルＳＰの所定位置に保持されるようになっている。
【００２１】
このときの絶縁ハウジング１１は、シャシパネルＳＰのコネクタ取付穴を貫通するように取り付けられ、シャシパネルＳＰの両表面から外方に突出するように配置される。そして、そのシャシパネルＳＰの一方の表面から突出している絶縁ハウジング１１の一方側部分（図１５の上半部分）に、上述した信号伝送媒体（ＦＰＣ又はＦＦＣ等）Ｆの端末部分が挿入される媒体挿入口１１ａが設けられているとともに、シャシパネルＳＰの他方の表面から突出している絶縁ハウジング１１の片側他方部分（図１５の下半部分）には、配線回路基板ＰＢが紙面左右方向の両側より挿入される基板挿入口１１ｄが設けられている。以下において、基板挿入口１１ｄから媒体挿入口１１ａに向かう方向を「上方向」と呼び、その反対の媒体挿入口１１ａから基板挿入口１１ｄに向かう方向を「下方向」と呼ぶこととする。
【００２２】
このうちの媒体挿入口１１ａは、上述したように絶縁ハウジング１１の前端縁部分（図８及び図１５の右端縁部分）に、コネクタ長手方向に沿って細長状をなすように開口して形成されており、当該媒体挿入口１１ａからコネクタ奥側に向かって、フレキシブル・プリンテッド・サーキット（ＦＰＣ）やフレキシブル・フラット・ケーブル（ＦＦＣ）等からなる信号伝送媒体Ｆの端末部分を挿入可能とする媒体挿入通路が延出している。
【００２３】
一方、基板挿入口１１ｄは、絶縁ハウジング１１の前端縁部分（図８及び図１５の右端縁部分）及び後端縁部分（図８及び図１５の左端縁部分）の双方に、同じくコネクタ長手方向に沿って細長状をなすようにしてそれぞれ設けられている。そして、これらの各基板挿入口１１ｄ，１１ｄからコネクタ奥側に向かって配線回路基板ＰＢの各々を挿入可能とする基板挿入通路が延出している。このように本実施形態にかかる電気回路装置においては、電気コネクタ１０の媒体挿入口１１ａ及び基板挿入口１１ｄに、それぞれ配線回路基板ＰＢ及び信号伝送媒体（ＦＰＣ又はＦＦＣ等）Ｆが挿入されることによって、両部材ＰＢ，Ｆ同士が上下方向において略平行に重なり合うように配置される構成になされている。
【００２４】
また、図３に示されるように、絶縁ハウジング１１のコネクタ長手方向の両端部分であって、前記媒体挿入口１１ａ及び基板挿入口１１ｄの両側外方部分には、電気コネクタ１０に挿入される信号伝送媒体（ＦＰＣ又はＦＦＣ等）Ｆを略不動状態に保持するロック部材１２がそれぞれ装着されているとともに、絶縁ハウジング１１の内部には、コネクタ長手方向に適宜の間隔をなして導電コンタクト１３が多極状に配置されている。
【００２５】
［導電コンタクトについて］
上述した絶縁ハウジング１１の前端面（図８及び図１５の右端面）、並びに後端面（図８及び図１５の左端面）には、上下方向に延在するスリット穴からなるコンタクト取付口が複数設けられており、それらの各コンタクト取付口を通して導電コンタクト１３が絶縁ハウジング１１の内部に圧入されている。このとき、絶縁ハウジング１１の前端面側（図８の右端面側）から後方に向かって挿入された導電コンタクト１３と、絶縁ハウジング１１の後端面側（図７の左端面側）から前方に向かって挿入された導電コンタクト１３’とが、コネクタ長手方向において交互に配置されているが、それらの導電コンタクト１３と導電コンタクト１３’とは、同一の形状をなすように形成されていて、コネクタ前後方向において互いに反対向きになるように対称的な配置関係になされている。以下の説明においては、導電コンタクト１３についてのみ説明を行うこととする。
【００２６】
各々の導電コンタクト１３は、適宜の形状をなす薄板状金属製部材により形成されていて、信号伝送用又はグランド接続用のいずれかとして、配線回路基板ＰＢ上に形成された導電路に圧接して電気的な接続が行われるようになっている。すなわち、絶縁ハウジング１１の内部に装着された各導電コンタクト１３の配置位置は、上述した媒体挿入口１１ａを通して絶縁ハウジング１１の内部に挿入される信号伝送媒体（ＦＰＣ又はＦＦＣ等）Ｆに設けられた配線パターンに対応した設定になされている。その信号伝送媒体Ｆに設けられた配線パターンは、信号伝送用導電路（信号線パッド）又はシールド用導電路（シールド線パッド）を適宜のピッチ間隔で配置したものである。
【００２７】
それらの各導電コンタクト１３は、信号伝送媒体Ｆ及び配線回路基板ＰＢの挿脱方向（図１５の左右方向）であるコネクタ前後方向に沿って延在するように配置されていて、より具体的には、コネクタ前後方向に沿って細長ビーム状に延在するコンタクト基部１３ａが、媒体挿入口１１ａと基板挿入口１１ｄとの間部分からコネクタ奥側（図１５の左方側）に向かって延出するように配置されているとともに、当該コンタクト基部１３ａにおけるコネクタ奥側の後端部（図１５の左端部）からは、配線回路基板ＰＢの挿入通路側（図１５の下方側）に向かって基板接触ビーム１３ｂが片持ち状をなして一体的に延出している。また、コンタクト基部１３ａにおける前端部分（図１５の右端部分）からは、信号伝送媒体（ＦＰＣ又はＦＦＣ等）Ｆの挿入通路側（図１５の上方側）に向かって媒体接触ビーム１３ｃが片持ち状をなして一体的に延出している。
【００２８】
そのうちの基板接触ビーム１３ｂは、上述したコンタクト基部１３ａの後端部（図１５の左端部）から前方側（図１５の右方側）に向かって、略Ｕ字状に反転するように延在しており、当該基板接触ビーム１３ｂとコンタクト基部１３ａとの間に形成された空間部分に、配線回路基板ＰＢが挿入されるようになっている。その片持ち状に延出している基板接触ビーム１３ｂの自由端部分（図１５の右端部分）には、配線回路基板ＰＢの表面に圧接される接点部１３ｂ１が上向きの突形状をなすように形成されている。
【００２９】
これに対して、媒体接触ビーム１３ｃは、コンタクト基部１３ａの前端部（図１５の右端部）から後方（図１５の左方側）に向かって、略Ｕ字状に反転するように延在している。その媒体接触ビーム１３ｃは、信号伝送媒体（ＦＰＣ又はＦＦＣ等）Ｆの挿入通路の下方に延在しており、当該媒体接触ビーム１３ｃにおける片持ち状の自由端部分（図１５の左端部分）には、信号伝送媒体Ｆの表面に圧接される接点部１３ｃ１が上向きの突形状をなすように形成されている。
【００３０】
［ワンアクションオートロック機構について］
一方、本実施形態にかかる電気コネクタ１０は、前述したようにワンアクションオートロック機構を備えたものであるが、その前提として信号伝送媒体（ＦＰＣ又はＦＦＣ等）Ｆの端末部分には、特に図１１に示されているように、幅方向両側の端縁部分に、切り欠き状の凹部からなる係合位置決め部Ｆａ，Ｆａが形成されている。そして、この信号伝送媒体Ｆに設けられた係合位置決め部Ｆａ，Ｆａに対応して電気コネクタ１０側に一対のロック部材１２，１２’が設けられており、それらロック部材１２，１２’の係止作用（ロック作用）によって信号伝送媒体Ｆの挿入状態が保持される構成になされている。
【００３１】
［ロック部材について］
上述したように両ロック部材１２，１２’は、絶縁ハウジング１１のコネクタ長手方向における両端部分に配置されており、電気コネクタ１０の内部に信号伝送媒体（ＦＰＣ又はＦＦＣ等）Ｆが差し込まれた際に、それらの各ロック部材１２の一部、より具体的には、後述する係止ロック部１２ａが信号伝送媒体Ｆの表面上に乗り上げ、それによってロック部材１２が上方に弾性変位した状態となり、その後、係止ロック部１２ａが信号伝送媒体Ｆの係合位置決め部Ｆａの内部に向かって落ち込むことによって係合状態（ロック状態）になされる構成になされている。なお、これらの両ロック部材１２，１２’は、同一の構成を左右対称とした関係になされていることから、以下、正面左側に配置されたロック部材１２についてのみ説明を行い、他方のロック部材１２’については説明を省略することとする。
【００３２】
そのロック部材１２は、上述した絶縁ハウジング１１と一体的に形成された樹脂部材から構成されており、信号伝送媒体（ＦＰＣ又はＦＦＣ等）Ｆに対するロック機構とロック解除機構とを兼用する構成になされている。より具体的には、特に図５，図１１及び図１２に示されているように、絶縁ハウジング１１の長手方向両端部分において、信号伝送媒体Ｆの挿入・抜去方向と略平行に延在するロックアーム部１２ｂを有しているとともに、そのロックアーム部１２ｂの延出側の先端部分に設けられた係止ロック部１２ａが、信号伝送媒体Ｆの係合位置決め部Ｆａに係合することによって当該信号伝送媒体Ｆが略不動状態に保持される構成になされている。また、上述したロックアーム部１２ｂの一部を、コネクタ長手方向の外方側から中心側に向かって押圧するロック解除操作が行われることによって、係止ロック部１２ａが信号伝送媒体Ｆの係合位置決め部Ｆａから離脱して信号伝送媒体Ｆの係止状態が解除されるようになっている。
【００３３】
ここで、上述したロックアーム部１２ｂは、絶縁ハウジング１１のコネクタ前端部（図５の下端部）からコネクタ後方側（図５の上方側）に向かって片持ち状をなして一体的に延出する第１アーム１２ｂ１を有しているとともに、その第１アーム１２ｂ１の延出方向の先端部（図５の上端部）からは、第２アーム１２ｂ２が、ロック解除操作方向、すなわちコネクタ長手方向の外方側から中心側に向かって片持ち状をなして一体的に延出している。このように第１アーム１２ｂ１と第２アーム１２ｂ２とを有するロックアーム部１２ｂは、平面略Ｌ字形状をなすように延在する片持ち状部材から形成されており、コネクタ前後方向に延在している第１アーム１２ｂ１が、その片持ち構造の根本部分である絶縁ハウジング１１との連結部分を中心としてコネクタ長手方向に揺動可能なロック解除操作部を兼用するように構成されている。また、第２アーム１２ｂ２の延出側先端部分に一体的に設けられた係止ロック部１２ａが、第１アーム１２ｂ１及び第２アーム１２ｂ２を介して上下方向（図５の紙面垂直方向）に揺動可能となるように構成されている。
【００３４】
このとき、上述した係止ロック部１２ａには、図１６に示されるように、信号伝送媒体（ＦＰＣ又はＦＦＣ等）Ｆの挿入・抜去方向に対して傾斜するように延在する媒体ガイド面１２ａ１が、係止ロック部１２ａの前端側部分（図５の下端側部分）に形成されており、絶縁ハウジング１１の内部に挿入された信号伝送媒体Ｆの端末部分に対して、当該媒体ガイド面１２ａ１の案内作用によって係止ロック部１２ａが信号伝送媒体Ｆの表面に乗り上げるように弾性変位される構成になされている。
【００３５】
また、その係止ロック部１２ａには、図１３に示されるように、ロック解除操作方向、すなわちコネクタ長手方向の外方側から中心側に向かう方向に対して傾斜するように延在する操作ガイド面１２ａ２が形成されている。一方、その係止ロック部１２ａの操作ガイド面１２ａ２に対応して、絶縁ハウジング１１側に操作作用面１１ｅが、同じくロック解除操作方向（コネクタ長手方向）に対して傾斜するように形成されている。これらの操作ガイド面１２ａ２と操作作用面１１ｅとは、ロック解除操作方向において互いに対面するように配置されており、上述したようにロック解除操作部を兼用している第１アーム１２ｂ１が、コネクタ長手方向の外方側から中心側に向かう方向に押圧されて係止ロック部１２ａが同方向に移動する際に、当該係止ロック部１２ａに設けられた操作ガイド面１２ａ２が、絶縁ハウジング１１側に設けられた操作作用面１１ｅに当接し、それによって両傾斜面１２ａ２，１１ｅ同士の間に上方向に向かう分力が生じ、その上方作用力で係止ロック部１２ａが上方向に押し上げられる構成になされている。
【００３６】
このとき、図１１に示されているように、上述したロックアーム部１２ｂの第１アーム（ロック解除操作部）１２ｂ１は、係止ロック部１２ａの解除移動方向（上下方向）において比較的大きな厚さ（高さ）寸法ｔ１を有するように形成されているとともに、それに直交するロック解除操作方向における厚さ寸法ｔ２が大幅に小さく（薄く）なるように形成されている（ｔ２＜ｔ１）。このように第１アーム（ロック解除操作部）１２ａ１の断面剛性が二方向において大幅に異なることによって、当該第１アーム（ロック解除操作部）１２ａ１の弾性変位が、ロック解除操作方向に容易に行われる構成になされている。
【００３７】
これに対して、上述したロックアーム部１２ｂの第２アーム１２ｂ２は、信号伝送媒体（ＦＰＣ又はＦＦＣ等）Ｆの挿入・抜去方向（コネクタ前後方向）において比較的大きな厚さ（高さ）寸法ｔ３を有するように形成されているとともに、それに直交する係止ロック部１２ａの移動方向（上下方向）における厚さ寸法ｔ４が大幅に小さく（薄く）なるように形成されている（ｔ４＜ｔ３）。このように第２アーム１２ｂ２の断面剛性が二方向において大幅に異なることによって、当該第２アーム１２ｂ２の弾性変位が、係止ロック部１２ａの移動方向（上下方向）に容易に行われる構成になされている。
【００３８】
ここで、信号伝送媒体（ＦＰＣ又はＦＦＣ等）Ｆの挿入から係合（ロック）及び係合解除（ロック解除）までの状態を具体的に説明しておく。まず、図１１に示されているように、絶縁ハウジング１１の前方側に対面するように配置された信号伝送媒体Ｆの端末部分が、図１２に示されているように、媒体挿入口１１ａを通して絶縁ハウジング１１の内部に挿入されてくると、その信号伝送媒体Ｆの挿入側の先端縁部分が、ロック部材１２に設けられた係止ロック部１２ａの前端部分に設けられた媒体ガイド面１２ａ１に当接し、当該係止ロック部１２ａが信号伝送媒体Ｆの表面上に乗り上げる。これにより、ロックアーム部材１２ａの全体が、その根本部分である絶縁ハウジング１１との連結部分及びその近傍を中心として上方側に持ち上げられるように弾性変位し、その状態から信号伝送媒体Ｆの端末部分が後方側に向かって更に押し込まれて、当該信号伝送媒体Ｆの係合位置決め部Ｆａが係止ロック部１２ａの直上位置まで移動して来たとき、図１６に示されているように、ロックアーム部材１２ｇ全体の弾性復元力によって係止ロック部１２ａが信号伝送媒体Ｆの係合位置決め部Ｆａの内部に落ち込むように移動される。その結果、信号伝送媒体Ｆの係合位置決め部Ｆａに対して係止ロック部１２ａが係合状態となり、信号伝送媒体Ｆが抜け出すことのないように保持される。
【００３９】
一方、前述したように係止ロック部１２ａが、信号伝送媒体Ｆの係合位置決め部Ｆａに係合されて信号伝送媒体Ｆが保持された状態から、図１７〜図２０に示されているようにロック解除操作部を兼用するロックアーム部材１２ａの第１アーム１２ｂ１がコネクタ中心側に向かって押し込まれることによってロック解除操作が行われると、ロックアーム部材１２ａの弾性力に抗して係止ロック部１２ａもコネクタ中心側に向かって移動し、その際に、当該係止ロック部１２ａの操作ガイド面１２ａ２が、絶縁ハウジング１１側に設けられた操作作用面１１ｅの表面上に乗り上げる。これにより、ロックアーム部材１２ａの全体が、その根本部分である絶縁ハウジング１１との連結部分及びその近傍を中心として上方側に持ち上げられるように弾性変位し、係止ロック部１２ａが信号伝送媒体Ｆの係合位置決め部Ｆａから離脱されて、ロック部材１２による係合状態（ロック状態）が解除される。
【００４０】
以上説明したように本実施形態においては、信号伝送媒体（ＦＰＣ又はＦＦＣ等）Ｆに対するロック機構とロック解除機構とを兼用するロック部材１２が、絶縁ハウジング１１から一体に延出するロックアーム部１２ｂを含むようにして絶縁ハウジング１１と一体的に形成されているため、電気コネクタ１０全体の生産性が大幅に高められる。
【００４１】
このとき、ロック解除操作部を兼用しているロックアーム部１２ｂの第１アーム１２ｂ１が、ロック解除操作方向（コネクタ長手方向）に小さな剛性を有し、かつ係止ロック部１２ａの移動方向（上下方向）において大きな剛性を有するとともに、係止ロック部１２ａを有するロックアーム部１２ｂの第２アーム１２ｂ２が、係止ロック部１２ａの移動方向に小さな剛性を有し、かつ信号伝送媒体（ＦＰＣ又はＦＦＣ等）Ｆの挿入・抜去方向に大きな剛性を有していることから、信号伝送媒体Ｆの挿入に対応して係止ロック部１２ａが良好かつ安定的に移動するとともに、ロック解除操作部であるロックアーム部１２ｂの第１アーム１２ｂ１がロック解除操作力に対応して良好かつ安定的に行われる。
【００４２】
特に、本実施形態においては、係止ロック部１２ａに設けられた２つの傾斜ガイド面１２ａ１，１２ａ２によって、信号伝送媒体（ＦＰＣ又はＦＦＣ等）Ｆの挿入・抜去に対応する動作、及びロック解除操作部であるロックアーム部１２ｂの第１アーム１２ｂ１に対する押圧操作に対応した動作が安定的に行われる。
【００４３】
［第２の実施形態にかかる電気コネクタについて］
一方、上述した第１の実施形態と同一の構成部材に対して同一の符号を付した図２１〜図２３に表された第２の実施形態にかかる電気コネクタ１０’は、配線回路基板ＰＢ’の片側表面上に実装されて使用されるものであって、絶縁ハウジング１１の内部に多極状をなすように配列された導電コンタクト２３の各々に設けられた基板接続部２３ａが、配線回路基板（図示省略）上に形成された信号伝送用導電路（信号線パッド）に半田接続されるようになっている。
【００４４】
その導電コンタクト２３の基板接続部２３ａは、特に図２２に示されているように、絶縁ハウジング１１のコネクタ後端部から後方側に突出しており、当該基板接続部２３ａから上方段部を介して前方側に延出する細長状のビーム部材からなる可撓性アーム２３ｂに連接されている。すなわち、その可撓性ビーム２３ｂは、上述した基板接続部２３ａとの連接部分において略直角に立ち上がるように折り曲げ形成されているとともに、その立ち上り端において前方側に向かって更に略直角に折り曲げられており、絶縁ハウジング１１における図示上方側の天井板の内壁面に沿って片持ち状をなすように延出している。このようにして導電コンタクト２３に設けられた可撓性ビーム２３ｂは、基板接続部２３ａとの連接部分又はその近傍を中心として、図２２の紙面内において上下の方向に揺動する構成になされている。
【００４５】
そして、当該可撓性ビーム２３ｂにおける前端側の延出部分（図４の左端側部分）には、信号伝送媒体（ＦＰＣ又はＦＦＣ等）Ｆに形成された信号伝送用導電路又はシールド用導電路（配線パターン）のいずれかに対応して端子接触凸部２３ｃが図示下向きの突形状をなすように設けられている。この端子接触凸部２３ｃは、上述したように信号伝送媒体Ｆが絶縁ハウジング１１の内部に挿入されて来た際に、当該信号伝送媒体Ｆに設けられた配線パターン上に乗り上げる配置関係になされており、その信号伝送媒体Ｆが所定の最終位置まで挿入されたときに、可撓性ビーム２３ｂの弾性力によって圧接されて電気的に接続された状態に維持されるようになっている。
【００４６】
ここで、信号伝送媒体（ＦＰＣ又はＦＦＣ等）Ｆに対するロック機構とロック解除機構とを兼用するロック部材１２、１２´が、絶縁ハウジング１１と一体的に形成されている点については前述した第１の実施形態と同様であるので説明は省略することとするが、このような第２の実施形態においても、上述した第１の実施形態と同様な作用・効果が得られる。
【００４７】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００４８】
例えば、上述した各実施形態では、係止ロック部１２ａに操作ガイド面１２ａ２が設けられているとともに、絶縁ハウジング１１に操作作用面１１ｅが設けられているが、これらを形成している傾斜面は、少なくとも一方が設けられていればよい。
【００４９】
また、上述した各実施形態では、電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００５０】
さらに、上述した実施形態にかかる電気コネクタには、同一形状の導電コンタクトが用いられているが、異なる形状の導電コンタクトを交互に配置した構造であっても本発明は同様に適用することが可能である。
【産業上の利用可能性】
【００５１】
本発明は、各種電気機器に使用する多種多様な電気コネクタに対して広く適用することが可能である。
【符号の説明】
【００５２】
１０  電気コネクタ
１１  絶縁ハウジング
１１ａ  媒体挿入口
１１ｂ  固定フランジ部
１１ｃ  取付フック
１１ｄ  基板挿入口
１１ｅ  操作作用面
１２，１２’  ロック部材
１２ａ  係止ロック部
１２ａ１  媒体ガイド面
１２ａ２  操作ガイド面
１２ｂ  ロックアーム部
１２ｂ１  第１アーム
１２ｂ２  第２アーム
１２ｃ  基板接続部
１２ｄ  係止片
１２ｅ  ロック解除操作部
１２ｆ  固定片
１２ｇ  ロックアーム部材
１２ｇ１  折曲げ部
１３，１３’  導電コンタクト
１３ａ  コンタクト基部
１３ｂ  基板接触ビーム
１３ｂ１  接点部
１３ｃ  媒体接触ビーム
１３ｃ１  接点部
ＳＰ  シャシパネル
ＰＢ  配線回路基板
Ｆ  信号伝送媒体（ＦＰＣ又はＦＦＣ等）
Ｆａ  係合位置決め部
１０’  電気コネクタ
ＰＢ’  配線回路基板
２３  導電コンタクト
２３ａ  基板接続部
２３ｂ  可撓性アーム
２３ｃ  端子接触凸部
【図１】
0005929228.tif 000002
【図２】
0005929228.tif 000003
【図３】
0005929228.tif 000004
【図４】
0005929228.tif 000005
【図５】
0005929228.tif 000006
【図６】
0005929228.tif 000007
【図７】
0005929228.tif 000008
【図８】
0005929228.tif 000009
【図９】
0005929228.tif 000010
【図１０】
0005929228.tif 000011
【図１１】
0005929228.tif 000012
【図１２】
0005929228.tif 000013
【図１３】
0005929228.tif 000014
【図１４】
0005929228.tif 000015
【図１５】
0005929228.tif 000016
【図１６】
0005929228.tif 000017
【図１７】
0005929228.tif 000018
【図１８】
0005929228.tif 000019
【図１９】
0005929228.tif 000020
【図２０】
0005929228.tif 000021
【図２１】
0005929228.tif 000022
【図２２】
0005929228.tif 000023
【図２３】
0005929228.tif 000024